(57)【要約】【課題】本体部に小さい押下力を付与しただけで噴出口から液体を噴出させることができる。【解決手段】上方付勢状態で押込み可能にステム２を起立したポンプに装着される押下ヘッド１であって、弁部材５の外周面と弁室Ａの内周面との間に設けられた噴出口１２に至る流路は、弁部材５の外周面および弁室Ａの内周面にそれぞれ、周方向に間隔をあけて複数形成された前後方向に延びる溝部５ａ、１６ａにより構成されている。【選択図】図１
2007253103.tif 000002
【特許請求の範囲】
【請求項１】
上方付勢状態で押込み可能にステムを起立したポンプに装着される押下ヘッドであって、
天板部の下面に垂設されてステムの上端部に嵌着された装着筒、および天板部の上面に立設されてステムの内部に連通された摺動筒を備える装着筒部材と、
前記摺動筒に上下方向に摺動可能に嵌合されるとともに、内部に、ステムの内部に連通され、かつ前方に向けて開口した噴出口を介して外部に連通可能な弁室が形成された本体部と、
前記弁室に噴出口に対して前後方向にスライド可能に設けられ、この噴出口を開閉させるとともに、弁室の内周面との間に、噴出口に至る流路を画成する棒状の弁部材と、
弁部材に連結され、本体部を装着筒部材に対して弁部材とともに上下方向に移動させたときに、この弁部材を前後方向にスライドさせるスライド機構とが備えられ、
前記流路は、弁部材の外周面および弁室の内周面にそれぞれ、周方向に間隔をあけて複数形成された前後方向に延びる溝部により構成されていることを特徴とする押下ヘッド。
【請求項２】
請求項１記載の押下ヘッドにおいて、
前記流路は、前記溝部、および弁部材の外周面と弁室の内周面との間に設けた隙間により構成されていることを特徴とする押下ヘッド。
【請求項３】
請求項１または２に記載の押下ヘッドにおいて、
弁部材のうち、前記噴出口を開閉させる前端部は、前記スライド機構が連結された部分を形成する材質よりも軟質の材料により形成されていることを特徴とする押下ヘッド。
【請求項４】
請求項１から３のいずれかに記載の押下ヘッドにおいて、
前記弁室には、弁部材が前後方向に進退移動する際、この弁部材の中心軸線方向中央部を、外周面側から径方向で挟み込むように支持する支持部材が設けられていることを特徴とする押下ヘッド。
【請求項５】
請求項１から４のいずれかに記載の押下ヘッドにおいて、
前記本体部は、頂板部、およびこの頂板部の外周縁から略垂下してなる周壁部を有する被押下部と、前端部に前記噴出口が形成された筒状のノズルとを備え、
被押下部とノズルとの間には、被押下部の周壁部から前方に向けて突出するようにガイド筒部が設けられ、
このガイド筒部およびノズルの内部に、前記弁室が形成されていることを特徴とする押下ヘッド。
【請求項６】
上方付勢状態で押込み可能にステムを起立したポンプに押下ヘッドが装着され、内部に液体が充填される容器体の口部に取り付けられる押下ヘッド付きポンプであって、
ステムの上端部に請求項１から５のいずれかに記載の押下ヘッドの装着筒部材が嵌着され、この装着筒部材は、ステムを保持する保持部材に対して上方に付勢されていることを特徴とする押下ヘッド付きポンプ。
【発明の詳細な説明】
【技術分野】
【０００１】
本発明は、上方付勢状態で押込み可能にステムを起立したポンプに装着する押下ヘッドおよび押下ヘッド付きポンプに関するものである。
【背景技術】
【０００２】
この種の押下ヘッドとして、例えば下記特許文献１に示されるような、天板部の下面に垂設されてステムの上端部に嵌着された装着筒、および天板部の上面に立設されてステムの内部に連通された摺動筒を備える装着筒部材と、前記摺動筒に上下方向に摺動可能に嵌合されるとともに、内部に、ステムの内部に連通され、かつ前方に向けて開口した噴出口を介して外部に連通可能な弁室が形成された本体部と、前記弁室に噴出口に対して前後方向にスライド可能に設けられ、この噴出口を開閉させるとともに、弁室の内周面との間に、噴出口に至る流路を画成する棒状の弁部材と、弁部材に連結され、本体部を装着筒部材に対して弁部材とともに上下方向に移動させたときに、この弁部材を前後方向にスライドさせるスライド機構とが備えられ、本体部を装着筒部材に対して押し下げることにより、まず、弁部材を後方にスライドさせ噴出口を開口させて、弁室に内在している液体を噴出させ、さらに強く本体部を押し下げることによって、ステムを押し込み、容器体内の液体をステムから弁室内に流入させることにより、同様に噴出口から噴出させる構成が知られている。そして、本体部の押し下げを解除したときに、ステムをその付勢力により上方に復元移動させるとともに、弁部材をやはり付勢力により前方にスライドさせてその前端部で噴出口を閉塞させる構成が知られている。
【特許文献１】特開２００２−３２６０４４号公報
【発明の開示】
【発明が解決しようとする課題】
【０００３】
ところで、近年では、本体部に小さい押下力を付与しただけで噴出口から液体を噴出することができる押下ヘッドが要望されている。特に、この押下ヘッドが装着されたポンプの取り扱い性を向上させるために、噴出口の、本体部の周壁部からの突出長さを長くすると、本体部に大きな押下力を付与して噴出口を完全に開口させなければ、噴出口から液体を噴出させることができず、しかも、このように噴出口が開口したときには、弁室内の液体は高圧になっているため強い勢いで噴出するおそれがある。
【０００４】
本発明は、このような事情を考慮してなされたもので、本体部に小さい押下力を付与しただけで噴出口から液体を噴出させることができる押下ヘッドおよび押下ヘッド付きポンプを提供することを目的とする。
【課題を解決するための手段】
【０００５】
上記課題を解決して、このような目的を達成するために、本発明の押下ヘッドは、上方付勢状態で押込み可能にステムを起立したポンプに装着される押下ヘッドであって、
天板部の下面に垂設されてステムの上端部に嵌着された装着筒、および天板部の上面に立設されてステムの内部に連通された摺動筒を備える装着筒部材と、前記摺動筒に上下方向に摺動可能に嵌合されるとともに、内部に、ステムの内部に連通され、かつ前方に向けて開口した噴出口を介して外部に連通可能な弁室が形成された本体部と、前記弁室に噴出口に対して前後方向にスライド可能に設けられ、この噴出口を開閉させるとともに、弁室の内周面との間に、噴出口に至る流路を画成する棒状の弁部材と、弁部材に連結され、本体部を装着筒部材に対して弁部材とともに上下方向に移動させたときに、この弁部材を前後方向にスライドさせるスライド機構とが備えられ、前記流路は、弁部材の外周面および弁室の内周面にそれぞれ、周方向に間隔をあけて複数形成された前後方向に延びる溝部により構成されていることを特徴とする。
この発明では、前記流路が、弁部材の外周面および弁室の内周面にそれぞれ、周方向に間隔をあけて複数形成された前後方向に延びる溝部により構成されているので、噴出口に至る液体の流路断面積を大きく確保することが可能になり、この流路内における液体の流動抵抗を低減させることができる。
これにより、この押下ヘッドが装着されたポンプの取り扱い性をさらに向上させるのに、噴出口の、本体部の周壁部からの突出長さを長くしても、噴出口を開口させるのに要する本体部への押下力が大きくなるのを防ぐことができる。
【０００６】
ここで、前記溝部に加え、弁部材の外周面と弁室の内周面との間に隙間を設けて、これらの溝部および隙間により前記流路を構成させるようにしてもよい。
この場合、前記の作用効果が一層確実に奏効されることになる。
【０００７】
ここで、弁部材のうち、前記噴出口を開閉させる前端部は、前記スライド機構が連結された部分を形成する材質よりも軟質の材料により形成されてもよい。
この場合、弁部材の前端部を弾性変形させて噴出口、および弁室内におけるその開口周縁部に密接させた状態で噴出口を閉塞することが可能になり、この閉塞した状態で弁室内の液体が漏れるのを抑制することができる。
【０００８】
また、前記弁室には、弁部材が前後方向に進退移動する際、この弁部材の中心軸線方向中央部を、外周面側から径方向で挟み込むように支持する支持部材が設けられてもよい。
この場合、弁部材を前後方向にスライドさせるときに、噴出口に対する弁部材の径方向位置を安定させることが可能になり、噴出口を開口した際、噴出口からの液体の噴出量を安定させることができるとともに、噴出口を閉塞した状態で弁室内の液体が漏れるのを確実に抑えることができる。
【０００９】
さらに、前記本体部は、頂板部、およびこの頂板部の外周縁から略垂下してなる周壁部を有する被押下部と、前端部に前記噴出口が形成された筒状のノズルとを備え、被押下部とノズルとの間には、被押下部の周壁部から前方に向けて突出するようにガイド筒部が設けられ、このガイド筒部およびノズルの内部に、前記弁室が形成されてもよい。
この場合、噴出口の、本体部の周壁部からの突出長さを長くした押下ヘッドを容易かつ確実に実現することが可能になるとともに、弁室の容量を大きく確保することも可能になり、本体部への押下力によって弁室に内在している液体が高圧になるのを抑え、強い勢いで噴出するのを防ぐことができ、その取り扱い性をさらに向上させることができる。また、例えば、ノズルの形状は現行通り変更しないで、ガイド筒部を前記のように設けるだけで噴出口の突出長さを長くすることも可能になるので、このような押下ヘッドを低コストで実現することができる。
【００１０】
また、本発明の押下ヘッド付きポンプは、上方付勢状態で押込み可能にステムを起立したポンプに押下ヘッドが装着され、内部に液体が充填される容器体の口部に取り付けられる押下ヘッド付きポンプであって、ステムの上端部に本発明の押下ヘッドの装着筒部材が嵌着され、この装着筒部材は、ステムを保持する保持部材に対して上方に付勢されていることを特徴とする。
この発明では、前記の作用効果が奏効されることに加え、装着筒部材が保持部材に対して上方に付勢されているので、本体部の押下を解除した際、ステムには、ステム自体の上方付勢力のみならず、このステムの上端部に嵌着された装着筒部材に作用する上方付勢力をも作用することになり、即座にステムを上方に移動させて、弁室内を負圧にすることが可能になり、噴出口から出かかっていた液体を弁室内に吸引して液だれが発生するのを確実に防ぐことができる。
【発明の効果】
【００１１】
この発明に係る押下ヘッドおよび押下ヘッド付きポンプによれば、本体部に小さい押下力を付与しただけで噴出口から液体を噴出させることができる。
【発明を実施するための最良の形態】
【００１２】
以下、図面を参照し、この発明の実施の形態について説明する。この実施形態に係る押下ヘッド１は、上方付勢状態で押込み可能にステム２を起立したポンプに装着されるものであって、天板部８の下面に垂設されてステム２の上端部に嵌着された装着筒７、および天板部８の上面に立設されてステム２の内部に連通された摺動筒９を備える装着筒部材３と、摺動筒９に上下方向に摺動可能に嵌合されるとともに、内部に、ステム２の内部に連通され、かつ前方に向けて開口した噴出口１２を介して外部に連通可能な弁室Ａが形成された本体部４と、弁室Ａに噴出口１２に対して前後方向にスライド可能に設けられ、この噴出口１２を開閉させるとともに、弁室Ａの内周面との間に、噴出口１２に至る流路を画成する棒状の弁部材５と、弁部材５に連結され、本体部４を装着筒部材３に対して弁部材５とともに上下方向に移動させたときに、この弁部材５を前後方向にスライドさせるスライド機構６とが備えられている。
【００１３】
装着筒部材３において、装着筒７および摺動筒９はそれぞれ、天板部８の径方向中央部に形成された貫通孔８ａの開口周縁部に同軸上に配置され、摺動筒９は貫通孔８ａを介してステム２の内部と連通している。また、天板部８の外周縁部には案内筒１０が垂設されており、装着筒７の外周面と案内筒１０の内周面との間にはこれらの径方向に隙間が設けられている。
【００１４】
本体部４は、頂板部１３ｂ、およびこの頂板部１３ｂの外周縁から略垂下してなる周壁部１３ａを有する被押下部１３と、前端部に噴出口１２が形成された筒状のノズル１６とを備えている。そして、周壁部１３ａの下部内周面は、装着筒部材３の案内筒１０の外周面に上下摺動可能に嵌合している。
【００１５】
ここで、被押下部１３の内側における頂板部１３ｂ側の上部には、周壁部１３ａのうち、ノズル１６の前端部が径方向外方に突出した状態で設けられる前側壁から後方に向けて延在し、かつこの前側壁を開口させるように有底筒状の横筒１４が設けられている。この横筒１４の側壁１４ｂのうち上方に位置する部分は、頂板部１３ｂのうち周壁部１３ａの前側壁に連なる部分により構成されている。また、横筒１４の底壁１４ａは、周壁部１３ａにおいて前側壁に対向する後側壁の内周面から径方向内方に隙間Ｂを設けるようにして位置されている。
そして、筒状のノズル１６は、噴出口１２を有する前端部が周壁部１３ａの前側壁の外周面から径方向外方（前方）に突出して位置され、噴出口１２が前方に向けて開口するように、横筒１４の前端開口部に嵌合されている。
【００１６】
また、横筒１４の側壁１４ｂにおいて、摺動筒９の上端開口部と対向する部分には、横筒１４の内部に連通したシリンダ１１が垂設されており、このシリンダ１１が、摺動筒９に上下摺動可能に嵌合されている。
さらに、横筒１４の側壁１４ｂの内周面において底壁１４ａに連なる後端部に、弁部材５の後述する摺動部分が摺動可能に支持されるシリンダ筒１８が嵌着されている。
以上より、本体部４の内部に形成された弁室Ａは、それぞれが同軸上に配置された横筒１４、ノズル１６、およびシリンダ筒１８の各内部によって構成されている。また、この弁室Ａは、シリンダ１１および摺動筒９の各内部を介してステム２の内部と連通している。
【００１７】
弁部材５は、棒状とされ、横筒１４、ノズル１６、およびシリンダ筒１８と略同軸上に配置され、この弁部材５の後端部が、横筒１４の底壁１４ａに形成された貫通孔１５から前記隙間Ｂに突出した状態で、弁室Ａに設けられている。なお、弁部材５の前記隙間Ｂに突出した部分には凹溝２３がその全周にわたって形成されている。
【００１８】
弁部材５の外周面には、その中心軸線方向中央部から後方に向けて漸次拡径するように延在したスカート状部２０が設けられ、さらにこのスカート状部２０の後端縁には、径方向外方に前方に向けて折り返された逆スカート状部２１が連設されている。そして、この逆スカート状部２１がシリンダ筒１８の内周面に摺動可能に嵌合されている。また、弁部材５は、その外周面におけるスカート状部２０の連結部分と、横筒１４の底壁１４ａとの間に介在された第１コイルスプリング２２により、前方に付勢されており、この弁部材５の前端部５ｂを噴出口１２、および弁室Ａにおけるその開口周縁部に密接させて閉塞できるようになっている。
【００１９】
スライド機構６は、それぞれが平面視矩形状とされた２枚の平板２４、２５が、側面視Ｌ字状となるように連結されるとともに、この連結部分に２枚の平板２４、２５それぞれの表面に沿った方向に平行に延びるピン部材２８が設けられた概略構成とされている。
【００２０】
そして、一方の平板２４の表面において、前記連結部分と反対側の端部には、この端面に開口し、かつその厚さ方向に貫通する第１切り欠き部２６が形成されており、この第１切り欠き部２６に、弁部材５の前記凹溝２３が嵌合されている。
また、他方の平板２５の表面において、前記連結部分と反対側の端部には、この端面に開口し、かつその厚さ方向に貫通して、その内側に装着筒部材３の摺動筒９が配置される第２切り欠き部２７が形成されている。
【００２１】
さらに、ピン部材２８の両端部は、本体部４の内側に設けられた軸受２９に回転自在に支持されている。この軸受２９は、周壁部１３ａの内周面において横筒１４の直下に位置する部分に嵌着させた取付板３０の下面のうち、前記隙間Ｂの直下に位置する部分に一対の板状体が垂設され、それぞれの板状体に、上下方向に延在し各板状体の下端面に開口する長穴２９ａが形成された構成とされている。そして、この軸受２９の各長穴２９ａにそれぞれピン部材２８の両端部が挿入されることにより、スライド機構６がピン部材２８回りに回転できるようになっている。
【００２２】
なお、取付板３０には、シリンダ１１を嵌着させる嵌合孔３０ａと、スライド機構６の一方の平板２４をピン部材２８回りに前後方向に揺動可能に挿通させる窓孔３０ｂとが形成されている。また、取付板３０の外周縁部には径方向に開口する切欠部３３が形成されており、この切欠部３３を本体部４の周壁部１３ａの内周面に突設した係止リブ３４に係合させることによって、この取付板３０の周壁部１３ａに対する回動を防ぐようになっている。
【００２３】
ここで、装着筒部材３に対して本体部４を押し下げるのに要する押下力が、ステム２自体の上方付勢力よりも小さくされている。このような構成を実現するための手段として、例えば、ステム２を上方付勢させるための弾性部材のばね定数よりも、弁部材５を前方に付勢する第１コイルスプリング２２のばね定数を小さくしたり、あるいは、摺動筒９とシリンダ１１との摩擦力や、スライド機構６の揺動時の摩擦力等を適宜選択することができる。
【００２４】
そして、本実施形態では、弁部材５の外周面において、スカート状部２０が連設されている中心軸線方向中央部よりも前方に位置する部分で、かつ噴出口１２を開閉させる前端部５ｂよりも後方に位置する部分と、この部分に対向する弁室Ａの内周面との間に、その略全域にわたって略同等の隙間が設けられた状態で、これらの弁部材５の外周面および弁室Ａの内周面にそれぞれ、前後方向に延びる溝部５ａ、１６ａが周方向に間隔をあけて複数形成されている。つまり、弁室Ａにおいて、噴出口１２に至る流路は、弁部材５の外周面と弁室Ａの内周面との間に設けられた隙間、および前記溝部５ａ、１６ａにより構成されている。なお、弁部材５に形成された溝部５ａ、および弁室Ａに形成された溝部１６ａはそれぞれ、略同形同大とされるとともに、同様のピッチ間隔で配置されている。
【００２５】
ここで、弁部材５の前端部５ｂは、本実施形態では、この前端に向かうに従い漸次縮径された先細り形状とされた部分において、噴出口１２の内径と略同じ外径とされた部分から前方側に位置する部分のことをいう。そして、このような弁部材５に形成された溝部５ａの前端は、前記先細り形状とされた外周面を前方に向けて開口している。
なお、本実施形態では、溝部１６ａが形成されている弁室Ａの内周面は、ノズル１６の内周面とされている。
【００２６】
以上のように構成された押下ヘッド１は、上方付勢状態で押込み可能にステム２を起立したポンプに装着されて、内部に液体が充填された容器体の口部に取り付けられる押下ヘッド付きポンプとされる。
【００２７】
この押下ヘッド付きポンプにおいて、本体部４の周壁部１３ａの下端部は、ステム２を保持する保持部材４０に立設された支持筒部４１に上下摺動可能に嵌合されており、押下ヘッド１の装着筒部材３は、保持部材４０に対して上方に付勢された状態でステム２の上端部に嵌着されている。具体的には、装着筒部材３の天板部８の下面において、案内筒１０と装着筒７との間に位置する部分と、支持筒部４１が立設された保持天板部４２との間に第２コイルスプリング４３が介在されている。
【００２８】
また、本実施形態では、本体部４の周壁部１３ａの下端部と支持筒部４１との間には、支持筒部４１に対する本体部４の抜け止め手段４４が設けられている。図示の例では、支持筒部４１の内周面における上端部に、径方向内方に突出する第１環状凸部４１ａが設けられ、周壁部１３ａの外周面における下端部に、径方向外方に突出する第２環状凸部１３ｃが設けられ、第２環状凸部１３ｃが第１環状凸部４１ａよりも下方に位置されるように、周壁部１３ａの下端部外周面が支持筒部４１の上端部内周面に上下摺動可能に嵌合することによって、本体部４の移動が第１、第２環状凸部４１ａ、１３ｃの係合により規制されるようになっている。
【００２９】
次に、以上のように構成された押下ヘッド付きポンプの作用について説明する。
前記のように前方に付勢された弁部材５が、一方の平板２４の端部を前方に付勢した状態から、本体部４の頂板部１３ｂを下方に押圧し、シリンダ１１を摺動筒９の外周面上を下方に摺動させながらこの本体部４を押し下げることにより、一方の平板２４が後方に移動するようにスライド機構６をピン部材２８回りに回動させることによって、弁部材５を第１コイルスプリング２２の付勢力に抗して後方にスライドさせ、噴出口１２を開口させる。
以上の過程において、前記のように、ステム２の上方付勢力の方が、装着筒部材３に対して本体部４を押し下げるのに要する押下力よりも大きいので、ステム２は下方に移動せず、本体部４のみが装着筒部材３に対して下方に移動する。
【００３０】
さらに、本体部４の頂板部１３ｂを下方に押圧することにより、シリンダ１１の下端が装着筒部材３の天板部８の上面に接触し、この押下力が装着筒部材３を介してステム２に伝わることにより、装着筒部材３と保持天板部４２との間に介在された第２コイルスプリング４３を圧縮しながらステム２が下方に移動し、容器体内の液体がステム２内に流入した後に、この流体が摺動筒９を介して弁室Ａ内に流入することによって、噴出口１２から液体が外部に噴出される。
【００３１】
次に、本体部４の頂板部１３ｂに対する前記押圧を解除すると、ステム２の上方付勢力、および装着筒部材３と保持部材４０との間に介在されている第２コイルスプリング４３の上方付勢力により、装着筒部材３およびステム２が保持部材４０に対して上方に移動する。この際、噴出口１２は開口した状態に維持される。これにより、弁室Ａ内は負圧になり、噴出口１２から出かかっていた液体が弁室Ａ内に吸引され、液だれの発生が抑えられる。その後、第１コイルスプリング２２の前方付勢力により、一方の平板２４が前方に移動するようにスライド機構６をピン部材２８回りに回動させ、かつ弁部材５を前方に移動させることよって、この弁部材５の前端部５ｂが噴出口１２を閉塞する。
【００３２】
以上説明したように本実施形態に係る押下ヘッド１によれば、弁室Ａにおいて、噴出口１２に至る流路は、弁部材５の外周面と弁室Ａの内周面との間に設けられた隙間、およびこれらの弁部材５の外周面および弁室Ａの内周面にそれぞれ形成された溝部５ａ、１６ａにより構成されているので、噴出口１２に至る液体の流路断面積を大きく確保することが可能になり、この流路内における液体の流動抵抗を低減させることができる。
これにより、この押下ヘッド１が装着されたポンプの取り扱い性をさらに向上させるのに、噴出口１２の、本体部４の周壁部１３ａからの突出長さを長くしても、噴出口１２を開口させるのに要する本体部４への押下力が大きくなるのを防ぐことができる。
【００３３】
また、本実施形態では、装着筒部材３と保持天板部４２との間に介在された第２コイルスプリング４３により、装着筒部材３が保持部材４０に対して上方に付勢されているので、本体部４の押下を解除したときに、ステム２には、ステム２自体の上方付勢力のみならず、装着筒部材３に作用している上方付勢力をも作用することになり、即座にステム２を上方に移動させて、弁室Ａ内を負圧にすることが可能になり、噴出口１２から出かかっていた液体を弁室Ａ内に吸引して液だれが発生するのを確実に防ぐことができる。
【００３４】
なお、本発明の技術的範囲は前記実施の形態に限定されるものではなく、本発明の趣旨を逸脱しない範囲において種々の変更を加えることが可能である。
例えば、図２に示されるように、弁部材５のうち、前端部５ｂ側の部分を、スライド機構６が連結された部分を形成する材質（例えばポリエチレン等）よりも軟質の材料（例えばゴムやエラストマー等）により形成してもよい。
この場合、弁部材５の前端部５ｂを弾性変形させて噴出口１２、および弁室Ａにおけるその開口周縁部に密接させた状態で噴出口１２を閉塞することが可能になり、噴出口１２を閉塞した状態で、弁室Ａ内の液体が漏れるのを抑制することができる。
【００３５】
また、弁室Ａには、弁部材５が前後方向に進退移動する際、この弁部材５の中心軸線方向中央部を、外周面側から径方向で挟み込むように支持する支持部材５１を設けてもよい。
この場合、弁部材５を前後方向にスライドさせるときに、噴出口１２に対する弁部材５の径方向位置を安定させることが可能となる。
【００３６】
さらに、本体部４において、被押下部１３とノズル１６との間に、被押下部１３の周壁部１３ａから前方に向けて突出したガイド筒部５２を設け、このガイド筒部５２およびノズル１６の内部に、弁室Ａが形成されるようにしてもよい。
この場合、噴出口１２の、本体部４の周壁部１３ａからの突出長さを長くした押下ヘッド１を容易かつ確実に実現することが可能になるとともに、弁室Ａの容量を大きく確保することも可能になり、本体部４への押下力によって弁室Ａに内在している液体が高圧になるのを抑え、強い勢いで噴出するのを防ぐことができ、その取り扱い性をさらに向上させることができる。また、例えば、ノズル１６の形状は現行通り変更しないで、ガイド筒部５２を前記のように設けるだけで噴出口１２の突出長さを長くすることも可能になるので、このような押下ヘッドを低コストで実現することができる。
【００３７】
さらにまた、前記実施形態では、前記流路が、溝部５ａ、１６ａ、および弁部材５の外周面と弁室Ａの内周面との間に設けた隙間により構成された押下ヘッド１を示したが、これに代えて、前記流路を溝部５ａ、１６ａのみにより構成するようにしてもよい。
【産業上の利用可能性】
【００３８】
本体部に小さい押下力を付与しただけで噴出口から液体を噴出させることができる。
【図面の簡単な説明】
【００３９】
【図１】本発明に係る一実施形態として示した押下ヘッドを示す概略側面断面図である。
【図２】本発明に係る他の実施形態として示した押下ヘッドの一部を示す概略側面断面図である。
【符号の説明】
【００４０】
１  押下ヘッド
２  ステム
３  装着筒部材
４  本体部
５  弁部材
５ａ、１６ａ  溝部
５ｂ  弁部材の前端部
６  スライド機構
７  装着筒
８  天板部
９  摺動筒
１２  噴出口
１３  被押下部
１３ａ  周壁部
１３ｂ  頂板部
１６  ノズル
４０  保持部材
５１  支持部材
５２  ガイド筒部
Ａ  弁室
【図１】
2007253103.tif 000003
【図２】
2007253103.tif 000004